Podtech/llm-jp-corpus-v4-ja_patent huggingface dataset:
【手続補正書】
【提出日】平成29年2月7日(2017.2.7)
【手続補正１】
【補正対象書類名】特許請求の範囲
【補正対象項目名】全文
【補正方法】変更
【補正の内容】
【特許請求の範囲】
【請求項１】
生体の静脈および動脈を有する部位に装着されるカフによる前記部位への印加圧力を制御する圧力制御部と、
前記印加圧力に前記部位からの脈波成分が重畳された圧力波形を検出する検出部と、
一回の血圧測定で前記検出部により検出された前記圧力波形に基づいて、動脈圧の呼吸性変動および静脈圧を求める解析部と、
を備え、
前記解析部は、
前記圧力波形のうち、前記印加圧力が前記圧力制御部によって一定圧に保持されている第１過程における圧力波形のデータに基づいて前記動脈圧の呼吸性変動を求め、前記印加圧力が前記圧力制御部によって減圧または昇圧される第２過程における圧力波形のデータと前記第１過程における圧力波形のデータとに基づいて前記静脈圧を求める、
血圧測定装置。
【請求項２】
前記第１過程における印加圧力は、拡張期血圧以下であって、前記脈波成分に静脈の脈波成分を含まない範囲である、請求項１に記載の血圧測定装置。
【請求項３】
前記解析部は、前記第２過程における圧力波形のデータと前記第１過程における圧力波形のデータとの相関が低いとき、前記第２過程における圧力波形のデータに基づいて前記静脈圧を求める、請求項１または請求項２に記載の血圧測定装置。
【請求項４】
前記解析部は、前記一回の血圧測定で、さらに、前記圧力波形のうち、前記印加圧力が前記圧力制御部によって昇圧または減圧される第３過程における圧力波形のデータに基づいて動脈圧を求める、請求項１または請求項２に記載の血圧測定装置。
【請求項５】
前記解析部は、前記第２過程における圧力波形のデータと、前記第３過程における圧力波形のデータまたは前記第１過程における圧力波形のデータと、に基づいて前記静脈圧を求める、請求項４に記載の血圧測定装置。
【請求項６】
前記解析部は、前記第２過程における圧力波形のデータと前記第３過程の圧力波形のデータまたは前記第１過程の圧力波形のデータとの相関が低いとき、前記第２過程における圧力波形のデータに基づいて前記静脈圧を求める、請求項５に記載の血圧測定装置。
【請求項７】
表示部と、
前記表示部を制御する表示制御部と、
をさらに備え、
前記表示制御部は、求められた前記動脈圧の呼吸性変動の値と前記静脈圧の値とを、前記表示部に二次元グラフで表示する、請求項１から請求項６のいずれか一項に記載の血圧測定装置。
【請求項８】
前記二次元グラフには、表示された前記動脈圧の呼吸性変動の値と前記静脈圧の値とを判別する判別基準が表示されている、請求項７に記載の血圧測定装置。
【請求項９】
生体の静脈および動脈を有する部位にカフを装着し、前記カフによる前記部位への印加圧力を制御して、脈波成分が重畳された圧力波形を前記部位から検出し、検出された前記圧力波形に基づいて、動脈圧の呼吸性変動および静脈圧を求める血圧測定方法において、
前記圧力波形のうち、前記印加圧力が一定圧に保持されている第１過程における圧力波形のデータに基づいて前記動脈圧の呼吸性変動を求める段階と、
前記圧力波形のうち、前記印加圧力が減圧または昇圧される第２過程における圧力波形のデータと前記第１過程における圧力波形のデータとに基づいて前記静脈圧を求める段階と、
からなり、
前記第１過程および前記第２過程は一回の血圧測定で行われる、
血圧測定方法。
【手続補正書】
【提出日】平成29年2月23日(2017.2.23)
【手続補正１】
【補正対象書類名】特許請求の範囲
【補正対象項目名】全文
【補正方法】変更
【補正の内容】
【特許請求の範囲】
【請求項１】
熱硬化性樹脂を含んで第１の部材と第２の部材とを接合する接合材料を前記第１の部材に付与する工程を有し、
前記接合材料は、付加型シリコーンレジンを含むものであることを特徴とする接合方法。
【請求項２】
前記接合材料は、メチル系ストレートシリコーンレジン、フェニル系シリコーンレジンおよび変性シリコーンレジンよりなる群から選択される１種または２種以上を含むものである請求項１に記載の接合方法。
【請求項３】
前記第１の部材の前記接合材料が付与されるべき部位は、管構造を有する部位に隣接するものである請求項１または２に記載の接合方法。
【請求項４】
前記第１の部材と前記第２の部材とを接合した接合体は、インクジェットヘッドである請求項１ないし３のいずれか１項に記載の接合方法。
【請求項５】
請求項１ないし４のいずれか１項に記載の方法を行うものであることを特徴とする接合体の製造装置。
【請求項６】
請求項１ないし４のいずれか１項に記載の接合方法を用いて製造されたことを特徴とする接合体。
【請求項７】
請求項５に記載の製造装置を用いて製造されたことを特徴とする接合体。
【請求項８】
接合体は、インクジェットヘッドである請求項６または７に記載の接合体。
【請求項９】
請求項８に記載の接合体を備えたことを特徴とするインクジェットヘッドユニット。
【請求項１０】
請求項９に記載のインクジェットヘッドユニットを備えたことを特徴とするインクジェット式記録装置。
【請求項１１】
熱硬化性樹脂を含んで第１の部材と第２の部材とを接合する接合材料を媒体に付与する工程と、
前記媒体に付与した前記接合材料に第１の熱を付与する工程と、
前記第１の熱が付与された前記接合材料を前記第１の部材に転写する工程と、
前記第１の部材に転写された前記接合材料により前記第１の部材と前記第２の部材とを接合する工程と
前記第１の部材と前記第２の部材とを接合している前記接合材料に第２の熱を付与する工程と、を有し、
前記接合材料は、付加型シリコーンレジンを含むものであることを特徴とする接合方法。
【請求項１２】
前記第１の熱が付与された前記接合材料の粘度は、前記第１の熱を付与する前の前記接合材料の粘度より、高いものである請求項１１に記載の接合方法。
【請求項１３】
前記第２の熱は、前記第１の部材と前記第２の部材とを接合している前記接合材料を硬化させるものである請求項１１または１２に記載の接合方法。
【手続補正２】
【補正対象書類名】明細書
【補正対象項目名】０００５
【補正方法】変更
【補正の内容】
【０００５】
このような目的は、下記の本発明により達成される。
本発明の接合方法は、熱硬化性樹脂を含で第１の部材と第２の部材とを接合する接合材料を前記第１の部材に付与する工程を有し、
前記接合材料は、付加型シリコーンレジンを含むものであることを特徴とする。
これにより、目的の部位に選択的に接合材料が付与されることにより接合された接合体を効率よく製造することができる接合方法を提供することができる。
【手続補正３】
【補正対象書類名】明細書
【補正対象項目名】０００７
【補正方法】変更
【補正の内容】
【０００７】
本発明の接合方法では、前記第１の部材の前記接合材料が付与されるべき部位は、管構造を有する部位に隣接するものであることが好ましい。
このような構造を有する部材を接合する場合、従来においては、毛細管現象（キャピラリー効果）により、接合材料のはみ出し等の問題が特に顕著に発生していたが、本発明では、このような構造を有する部材を接合する場合であっても、前記のような問題の発生を効果的に防止することができる。すなわち、第１の部材の接合材料が付与されるべき部位が管構造を有する部位に隣接するものである場合に、本発明の効果がより顕著に発揮される。
【手続補正４】
【補正対象書類名】明細書
【補正対象項目名】０００８
【補正方法】変更
【補正の内容】
【０００８】
本発明の接合方法では、前記第１の部材と前記第２の部材とを接合した接合体は、インクジェットヘッドであることが好ましい。
インクジェットヘッドは、微細な構造を有するものであり、目的とする部位からの接合材料（接合部）のはみ出しによる影響を特に受けやすいものであった。特に、インクジェットヘッドのインクの流路において目的とする部位からの接合材料（接合部）のはみ出しがあると、インクによって接合部が膨潤する等して接合部の接合強度が低下したり、インクジェットヘッドの変形によりインクの吐出の安定性が低下する等の問題が発生する。また、接合材料が撥液性材料で、インクによる膨潤の問題がない場合であっても、インクジェットヘッドのインクの流路において目的とする部位からの接合材料（接合部）のはみ出しがあると、その部位がインクをはじいてしまい、やはり、インクの吐出の安定性が低下するという問題があった。これに対し、本発明では、目的の部位に選択的に接合部を設けることができるため、インクジェットヘッドに適用した場合であっても、前記の問題の発生を効果的に防止することができる。以上のようなことから、インクジェットヘッドに適用される場合に、本発明の効果はより顕著に発揮される。
【手続補正５】
【補正対象書類名】明細書
【補正対象項目名】００１４
【補正方法】変更
【補正の内容】
【００１４】
本発明のインクジェット式記録装置は、本発明のインクジェットヘッドユニットを備えたことを特徴とする。
これにより、目的の部位に選択的に接合材料が付与されることにより接合された接合体（インクジェットヘッド）を備えるインクジェット式記録装置を提供することができる。
本発明の接合方法は、熱硬化性樹脂を含んで第１の部材と第２の部材とを接合する接合材料を媒体に付与する工程と、
前記媒体に付与した前記接合材料に第１の熱を付与する工程と、
前記第１の熱が付与された前記接合材料を前記第１の部材に転写する工程と、
前記第１の部材に転写された前記接合材料により前記第１の部材と前記第２の部材とを接合する工程と
前記第１の部材と前記第２の部材とを接合している前記接合材料に第２の熱を付与する工程と、を有し、
前記接合材料は、付加型シリコーンレジンを含むものであることを特徴とする。
本発明の接合方法では、前記第１の熱が付与された前記接合材料の粘度は、前記第１の熱を付与する前の前記接合材料の粘度より、高いものであることが好ましい。
本発明の接合方法では、前記第２の熱は、前記第１の部材と前記第２の部材とを接合している前記接合材料を硬化させるものであることが好ましい。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
用紙に画像を形成する画像形成手段と、
前記画像形成手段により画像が形成された用紙に筋付けを行う筋付け手段と、
前記画像形成手段により画像が形成され前記筋付け手段から搬送されてきた用紙であるくるみ製本表紙と、前記画像形成手段により画像が形成され前記筋付け手段から搬送されてきた用紙である中紙とを用いてくるみ製本物を生成するくるみ製本手段と、
前記くるみ製本表紙に対しては、該くるみ製本表紙の背の角に対応する位置と、該くるみ製本表紙の折り返し位置に筋付けを行い、前記中紙に対しては筋付けを行わないように前記筋付け手段を制御する制御手段と、
を有することを特徴とする画像形成システム。
【請求項２】
前記制御手段は、前記背の角に対応する位置と、前記折り返し位置とで異なる圧力で筋付けを行うよう前記筋付け手段を制御することを特徴とする請求項１に記載の画像形成システム。
【請求項３】
前記制御手段は、用紙毎に異なる圧力で筋付けするよう前記筋付け手段を制御することを特徴とする請求項１に記載の画像形成システム。
【請求項４】
筋付けに関する設定を受け付ける受付手段を更に有し、
前記制御手段は、前記受付手段により受け付けた前記筋付けに関する設定に従って前記くるみ製本表紙への筋付けを前記筋付け手段に行わせることを特徴とする請求項１乃至３のいずれか一項に記載の画像形成システム。
【請求項５】
前記筋付けに関する設定は、筋付けする位置の情報を含むことを特徴とする請求項４に記載の画像形成システム。
【請求項６】
前記筋付けに関する設定は、筋付けする用途の情報を含むことを特徴とする請求項４に記載の画像形成システム。
【請求項７】
前記筋付けの用途は、くるみ製本における折り返し用又は背の角用であり、
前記折り返し用の筋付け圧力は、前記背の角用の筋付け圧力より大きいことを特徴とする請求項６に記載の画像形成システム。
【請求項８】
前記筋付けに関する設定は、筋付けを行う用紙の種類の情報を含むことを特徴とする請求項４に記載の画像形成システム。
【請求項９】
前記画像形成手段により用紙に対して両面に画像形成が行われ、かつ両面それぞれへの筋付けが設定されている場合、前記制御手段は、該用紙の一方の面への筋付けの設定を破棄することを特徴とする請求項４乃至８のいずれか一項に記載の画像形成システム。
【請求項１０】
前記画像形成手段により用紙に対して両面に画像形成が行われ、かつ両面それぞれへの筋付けが設定されている場合、前記制御手段は、該用紙の両面それぞれへの筋付けの設定を一方の面に統合するように制御することを特徴とする請求項４乃至８のいずれか一項に記載の画像形成システム。
【請求項１１】
前記筋付け手段は、用紙に筋付け用の刃を押し付けることで筋付けを行うことを特徴とする請求項１乃至１０のいずれか一項に記載の画像形成システム。
【請求項１２】
前記筋付け手段は、筋付けを行う際の圧力が異なる筋付け刃を入れ替え可能であることを特徴とする請求項１乃至１１のいずれか一項に記載の画像形成システム。
【請求項１３】
前記制御手段は、
前記筋付け手段が装着している筋付け用の刃の情報を取得し、
前記取得した情報に基づいて、前記受付手段により受け付けた前記筋付けに関する設定に従って筋付けするための刃が前記筋付け手段に装着されているか否かを判定し、装着されていないと判定した場合にその旨のメッセージを表示手段に表示させる、ことを特徴とする請求項４乃至１０のいずれか一項に記載の画像形成システム。
【請求項１４】
画像が形成された用紙に筋付けを行う筋付け手段、および、くるみ製本表紙と中紙を用いてくるみ製本物を生成するくるみ製本装置を装着可能な画像形成装置であって、
用紙に画像を形成する画像形成手段と、
前記画像形成手段により画像が形成された用紙に筋付けを行うよう前記筋付け手段を制御する筋付け制御手段と、
前記画像形成手段により画像が形成され前記筋付け手段から搬送されてきた用紙であるくるみ製本表紙と、前記画像形成手段により画像が形成され前記筋付け手段から搬送されてきた用紙である中紙とを用いてくるみ製本物を生成するよう前記くるみ製本装置を制御するくるみ製本制御手段と、を有し、
前記筋付け制御手段は、前記くるみ製本表紙に対しては、該くるみ製本表紙の背の角に対応する位置と、該くるみ製本表紙の折り返し位置に筋付けを行い、前記中紙に対しては筋付けを行わないように前記筋付け手段を制御する制御手段、を有することを特徴とする画像形成装置。
【手続補正２】
【補正対象書類名】明細書
【補正対象項目名】発明の名称
【補正方法】変更
【補正の内容】
【発明の名称】画像形成システム、及び画像形成装置
【手続補正３】
【補正対象書類名】明細書
【補正対象項目名】０００１
【補正方法】変更
【補正の内容】
【０００１】
本発明は、画像形成システム、及び画像形成装置に関し、特にクリース（筋付け）を行う場合、クリース用途に応じた圧力でクリースを施す方法に関する。
【手続補正４】
【補正対象書類名】明細書
【補正対象項目名】０００９
【補正方法】変更
【補正の内容】
【０００９】
上記課題を解決するために、本発明は以下の構成を有する。すなわち、画像形成システムであって、用紙に画像を形成する画像形成手段と、前記画像形成手段により画像が形成された用紙に筋付けを行う筋付け手段と、前記画像形成手段により画像が形成され前記筋付け手段から搬送されてきた用紙であるくるみ製本表紙と、前記画像形成手段により画像が形成され前記筋付け手段から搬送されてきた用紙である中紙とを用いてくるみ製本物を生成するくるみ製本手段と、前記くるみ製本表紙に対しては、該くるみ製本表紙の背の角に対応する位置と、該くるみ製本表紙の折り返し位置に筋付けを行い、前記中紙に対しては筋付けを行わないように前記筋付け手段を制御する制御手段と、を有する。
【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
複数のローラに張架され、積載されたシート束の上面に対向配置される吸着ベルトと、
帯電部材および該帯電部材に電圧を印加する電圧印加手段とを備え該吸着ベルト表面を帯電させる帯電手段とを備え
上記帯電手段により帯電した吸着ベルトで上記シート束の最上位シートを静電吸着して、上記最上位シートを挟持搬送手段のニップに向けて搬送するシート搬送装置において、
上記吸着ベルトと上記挟持搬送手段との間に配置され、シートを検知するシート検知手段と、
上記シート検知手段の検知結果に基づいて、上記帯電部材への電圧印加を停止するよう上記電圧印加手段を制御する制御手段とを備えたことを特徴とするシート搬送装置。
【請求項２】
請求項１に記載のシート搬送装置であって、
上記帯電手段による上記吸着ベルトの帯電位置から、上記吸着ベルトの上記シート束と対向する対向部のシート搬送方向上流側端部までの距離をＬ１、
上記シート検知手段から上記挟持搬送手段のニップまでの距離をＬ２としたとき、Ｌ２≦Ｌ１とし、
上記シート検知手段がシートを検知したら、上記帯電部材への電圧印加を停止することを特徴とするシート搬送装置
【請求項３】
請求項２に記載のシート搬送装置であって、
Ｌ２＝Ｌ１としたことを特徴とするシート搬送装置。
【請求項４】
請求項１乃至３いずれかに記載のシート搬送装置において、
上記帯電部材は、ブレード部材であり、該ブレード部材の先端稜線部を前記吸着ベルトに当接させたことを特徴とするシート搬送装置。
【請求項５】
請求項１乃至４いずれかに記載のシート搬送装置であって、
上記吸着ベルトと、該吸着ベルトを張架する第１張架ローラと、該第１張架ローラのシート搬送方向上流側に位置する第２張架ローラとを有する吸着分離ユニットと、
上記シート束の最上位シートを上記吸着ベルトに接触させ吸着させる吸着位置と、該吸着ベルトに吸着した最上位シートを搬送する、該吸着位置よりもシート束から離れた搬送位置との間を該吸着ベルトが往復移動するように、上記吸着分離ユニットを移動させる移動手段とを備えており、
上記移動手段は、上記第２張架ローラよりもシート搬送方向上流側に設けられた支点を中心にして上記吸着分離ユニットを揺動させることで、上記搬送位置と上記吸着位置とを取るように構成したことを特徴とするシート搬送装置。
【請求項６】
請求項１乃至５いずれかのシート搬送装置において、
上記シート束の最上位シートを上記吸着ベルトに接触させ吸着させる吸着位置関係と、該吸着ベルトに吸着した最上位シートを搬送する、シート束から上記吸着ベルトが離間した搬送位置との間を上記シート束が往復移動するように、シート束を昇降させる昇降手段を設けたことを特徴とするシート搬送装置。
【請求項７】
複数のローラに張架され、積載されたシート束の上面に対向配置された吸着ベルトと、
帯電部材および該帯電部材に電圧を印加する電圧印加手段とを備え上記吸着ベルト表面を帯電させる帯電手段とを備え、
上記帯電手段により帯電した吸着ベルトで上記シート束の最上位シートを静電吸着して、上記最上位シートを挟持搬送手段のニップに向けて搬送するシート搬送装置において、
シート搬送中に上記帯電部材への電圧印加を停止して、少なくともシートの後端が上記吸着ベルトに静電吸着することなく搬送されるよう構成したことを特徴とするシート搬送装置。
【請求項８】
シートに画像を形成する画像形成手段と、
積載されたシート束から最上位シートを分離し、上記画像形成手段へ上記最上位シートを搬送するシート搬送手段とを備えた画像形成装置において、
上記シート搬送手段として、請求項１乃至７いずれかに記載のシート搬送装置を有することを特徴とする画像形成装置。
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
シートに筋付けを行う印刷システムであって、
シートに画像を形成する画像形成手段と、
前記画像形成手段から搬送されたシートに筋付けを行う筋付け手段と、
ユーザ指示に基づき、前記シートに筋付けを行う位置を示す位置情報と、該筋付けを行う面を示す面情報とを入力する入力手段と、
前記入力手段により入力された前記位置情報と前記面情報とが設定された印刷ジョブに基づき、前記画像形成手段に前記シートに画像を形成させ、前記筋付け手段に前記シートに筋付けを行わせる制御手段と、を有し、
前記制御手段は、前記入力手段により入力された前記位置情報と前記面情報に応じたプレビュー画面を、前記印刷ジョブを生成する前に表示部に表示させることを特徴とする印刷システム。
【請求項２】
前記制御手段は、前記プレビュー画面を表示する際に、前記筋付けする面が第１の面である場合は前記位置情報を第１の表示形態で前記表示部に表示させ、前記筋付けする面が前記第１の面と異なる第２の面である場合は前記位置情報を第２の表示形態で前記表示部に表示させることを特徴とする請求項１に記載の印刷システム。
【請求項３】
前記第１の表示形態は実線であり、前記第２の表示形態は破線であることを特徴とする請求項２に記載の印刷システム。
【請求項４】
前記プレビュー画面を表示する際に、前記表示部は、前記位置情報に応じた折り方法を表示することを特徴とする請求項１に記載の印刷システム。
【請求項５】
前記折り方法は、山折りまたは谷折りであることを特徴とする請求項４に記載の印刷システム。
【請求項６】
前記筋付け手段は、複数のクリース位置に前記シートを筋付けし、
前記複数のクリース位置は、第１の面にクリースする第１のクリース位置と前記第１の面とは反対の面である第２の面にクリースする第２のクリース位置を含むことを特徴とする請求項１乃至５のいずれか一項に記載の印刷システム。
【請求項７】
前記プレビュー画面の表示を行う際に、前記表示部は、前記第１のクリース位置と前記第２のクリース位置を異なる表示形態で表示することを特徴とする請求項６に記載の印刷システム。
【請求項８】
前記筋付け手段は、前記シートの搬送方向に直行する方向に前記シートに筋付けすることを特徴とする請求項１乃至７のいずれか一項に記載の印刷システム。
【請求項９】
前記印刷システムは、前記画像形成手段と前記筋付け手段と前記制御手段を有する画像形成装置と、前記入力手段と前記表示部を有するプリントサーバを有することを特徴とする請求項１に記載の印刷システム。
【請求項１０】
シートに画像を形成する画像形成手段と、
前記画像形成手段から搬送されたシートに筋付けを行う筋付け手段と、
を備えるシステムの制御装置であって、
ユーザ指示に基づき、前記シートに筋付けを行う位置を示す位置情報と、該筋付けを行う面を示す面情報とを入力する入力手段と、
前記入力手段により入力された前記位置情報と前記面情報とが設定された印刷ジョブに基づき、前記画像形成手段に前記シートに画像を形成させ、前記筋付け手段に前記シートに筋付けを行わせる制御手段と、を有し、
前記制御手段は、前記入力手段により入力された前記位置情報と前記面情報に応じたプレビュー画面を、前記印刷ジョブを生成する前に表示部に表示させることを特徴とする制御装置。
【請求項１１】
コンピュータを、
ユーザ指示に基づき、筋付け手段によりシートに筋付けを行う位置を示す位置情報と、該筋付けを行う面を示す面情報とを入力する入力手段、
前記入力手段により入力された前記位置情報と前記面情報とが設定された印刷ジョブに基づき、画像形成手段に前記シートに画像を形成させ、前記筋付け手段に前記シートに筋付けを行わせる制御手段、
として機能させ、
前記制御手段は、前記入力手段により入力された前記位置情報と前記面情報に応じたプレビュー画面を、前記印刷ジョブを生成する前に表示部に表示させることを特徴とするプログラム。
【手続補正２】
【補正対象書類名】明細書
【補正対象項目名】発明の名称
【補正方法】変更
【補正の内容】
【発明の名称】印刷システム、制御装置、及びプログラム
【手続補正３】
【補正対象書類名】明細書
【補正対象項目名】０００１
【補正方法】変更
【補正の内容】
【０００１】
本発明は、印刷システム、制御装置、及びプログラムに関し、特に、画像形成装置に対しクリース処理を行う後処理装置が接続された場合の制御に関する。
【手続補正４】
【補正対象書類名】明細書
【補正対象項目名】０００８
【補正方法】変更
【補正の内容】
【０００８】
上記課題を解決するために本願発明は以下の構成を有する。すなわち、シートに筋付けを行う印刷システムであって、シートに画像を形成する画像形成手段と、前記画像形成手段から搬送されたシートに筋付けを行う筋付け手段と、ユーザ指示に基づき、前記シートに筋付けを行う位置を示す位置情報と、該筋付けを行う面を示す面情報とを入力する入力手段と、前記入力手段により入力された前記位置情報と前記面情報とが設定された印刷ジョブに基づき、前記画像形成手段に前記シートに画像を形成させ、前記筋付け手段に前記シートに筋付けを行わせる制御手段と、を有し、前記制御手段は、前記入力手段により入力された前記位置情報と前記面情報に応じたプレビュー画面を、前記印刷ジョブを生成する前に表示部に表示させることを特徴とする。
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
図柄を変動／確定表示可能な図柄表示部と、各種表示演出を行うための演出用表示部とが設けられているとともに、遊技に係る動作及び前記図柄表示部における表示動作を制御するメイン制御手段と、前記演出用表示部における表示動作を制御するサブ制御手段とを備えており、
前記メイン制御手段は、所定条件の充足にもとづいて１又は複数の乱数から数値を取得すると、取得した数値にもとづいて前記図柄の確定表示態様と前記図柄の変動時間を含む基本変動パターンとを決定し、前記図柄の確定表示態様及び前記基本変動パターンに係る情報を含んだ開始コマンドを前記サブ制御手段へ送信するとともに、前記図柄表示部において前記図柄の変動を開始させ、前記変動時間の経過に伴い前記図柄を所定の確定表示態様で確定表示させる遊技機であって、
前記サブ制御手段に、所定の方法で数値を作成する乱数作成部と、前記乱数作成部が作成した数値を格納する複数の格納部からなる乱数格納部とを設け、
前記サブ制御手段は、各前記格納部に格納されている数値を所定の順序にしたがって更新するとともに、前記開始コマンドを受信すると、前記開始コマンドの内容に伴い定められた個数の前記格納部から数値を取得し、取得した数値にもとづいて前記演出用表示部での表示演出を決定することを特徴とする遊技機。
【手続補正２】
【補正対象書類名】明細書
【補正対象項目名】０００７
【補正方法】変更
【補正の内容】
【０００７】
上記目的を達成するために、本発明は、図柄を変動／確定表示可能な図柄表示部と、各種表示演出を行うための演出用表示部とが設けられているとともに、遊技に係る動作及び前記図柄表示部における表示動作を制御するメイン制御手段と、前記演出用表示部における表示動作を制御するサブ制御手段とを備えており、前記メイン制御手段は、所定条件の充足にもとづいて１又は複数の乱数から数値を取得すると、取得した数値にもとづいて前記図柄の確定表示態様と前記図柄の変動時間を含む基本変動パターンとを決定し、前記図柄の確定表示態様及び前記基本変動パターンに係る情報を含んだ開始コマンドを前記サブ制御手段へ送信するとともに、前記図柄表示部において前記図柄の変動を開始させ、前記変動時間の経過に伴い前記図柄を所定の確定表示態様で確定表示させる遊技機であって、前記サブ制御手段に、所定の方法で数値を作成する乱数作成部と、前記乱数作成部が作成した数値を格納する複数の格納部からなる乱数格納部とを設け、前記サブ制御手段は、各前記格納部に格納されている数値を所定の順序にしたがって更新するとともに、前記開始コマンドを受信すると、前記開始コマンドの内容に伴い定められた個数の前記格納部から数値を取得し、取得した数値にもとづいて前記演出用表示部での表示演出を決定することを特徴とする。
なお、図柄を変動／確定表示可能な図柄表示部と、各種表示演出を行うための演出用表示部とが設けられているとともに、遊技に係る動作及び前記図柄表示部における表示動作を制御するメイン制御手段と、前記演出用表示部における表示動作を制御するサブ制御手段とを備えており、前記メイン制御手段は、所定条件の充足にもとづいて１又は複数の乱数から数値を取得すると、取得した数値にもとづいて前記図柄の確定表示態様と前記図柄の変動時間を含む基本変動パターンとを決定し、前記図柄の確定表示態様及び前記基本変動パターンに係る情報を含んだ開始コマンドを前記サブ制御手段へ送信するとともに、前記図柄表示部において前記図柄の変動を開始させ、前記変動時間の経過に伴い前記図柄を所定の確定表示態様で確定表示させる一方、前記サブ制御手段は、前記開始コマンドを受信すると、複数の抽選を実行して前記演出用表示部での表示演出を決定する遊技機において、前記サブ制御手段に、所定の方法で数値を作成する乱数作成部と、前記乱数作成部が作成した数値を格納する複数の格納部からなる乱数格納部とを設け、前記サブ制御手段が、各前記格納部に格納されている数値を所定の順序にしたがって更新するとともに、前記開始コマンドを受信すると複数の前記格納部から数値を取得するといった態様で前記抽選を実行し、取得した数値にもとづいて前記表示演出を決定するといった第１の構成を採用してもよい。
また、上記発明や第１の構成を採用したものにおいて、前記メイン制御手段が、前記所定条件の充足にもとづいて前記１又は複数の乱数から数値を取得すると、取得した前記数値を所定数まで保留情報として記憶するとともに、前記図柄を確定表示したことにもとづいて、所定の順序にしたがい前記保留情報を消化し、さらに、前記保留情報の記憶に伴い、少なくとも当該保留情報を消化する際の前記図柄の確定表示態様がどのような確定表示態様となるかを含んだ事前判定を行い、当該事前判定の結果に係る情報を含んだ予定情報を前記サブ制御手段に送信する一方、前記サブ制御手段が、前記予定情報を受信すると、前記演出用表示部に保留表示体を追加する遊技機とし、前記サブ制御手段が、前記予定情報を受信すると複数の前記格納部から数値を取得するといった態様で抽選を実行し、取得した数値にもとづいて追加する前記保留表示体に係る表示演出を決定するといった第２の構成を採用してもよい。
そして、そのような第２の構成を採用することにより、サブ制御手段が、予定情報を受信すると複数の格納部から数値を取得するといった態様で抽選を実行し、取得した数値にもとづいて演出用表示部に追加する保留表示体に係る表示演出を決定する。したがって、乱数格納部が格納している数値を保留表示体に係る表示演出の決定にも利用することになるため、カウンタの削減やそれに伴うサブ制御手段の負荷軽減を一層効果的に図ることができる。
【手続補正３】
【補正対象書類名】明細書
【補正対象項目名】０００８
【補正方法】変更
【補正の内容】
【０００８】
本発明によれば、サブ制御手段に、所定の方法で数値を作成する乱数作成部と、乱数作成部が作成した数値を格納する複数の格納部からなる乱数格納部とを設け、サブ制御手段は、各格納部に格納されている数値を所定の順序にしたがって更新するとともに、開始コマンドを受信すると、開始コマンドの内容に伴い定められた個数の格納部から数値を取得し、取得した数値にもとづいて演出用表示部での表示演出を決定する。したがって、抽選毎に異なる複数のカウンタを設けていた従来の遊技機と比較すると、カウンタに相当する構成要素が１つで済み、サブ制御手段にかかる負荷等を軽減することができる。また、各抽選で使用する乱数の大きさが同じとなるにも拘わらず、抽選結果同士（すなわち表示演出同士）が意図せずして同期してしまう事態を抑制することができる。一方、乱数の大きさを同じとしているが故、抽選結果同士に関連を持たせたい場合の振り分けを容易に行うことができる。
【手続補正書】
【提出日】平成29年2月28日(2017.2.28)
【手続補正１】
【補正対象書類名】特許請求の範囲
【補正対象項目名】全文
【補正方法】変更
【補正の内容】
【特許請求の範囲】
【請求項１】
遊技に係る動作を制御する制御手段を備えた遊技機であって、
前記制御手段に、所定の方法で数値を作成する乱数作成部と、前記乱数作成部が作成した数値を格納する複数の格納部からなる乱数格納部とを設け、
前記制御手段は、単位時間毎に予め定められたメインループ処理を繰り返し実行しており、前記メインループ処理の実行後、前記単位時間が経過するまでの間に、前記数値を作成するとともに、前記数値を格納する前記格納部の順序である格納パターンとして設定されている複数の格納パターンのうちの何れか１つの格納パターンにしたがって、作成した前記数値を前記格納部へ格納しており、
特定の条件が充足されると、所定数の前記格納部から数値を取得し、取得した数値によって、前記特定の条件が充足されたことにもとづく前記遊技に係る動作を決定することを特徴とする遊技機。
【請求項２】
前記制御手段は、特殊条件が充足されたことをもって、前記格納パターンを別の格納パターンへ変更することを特徴とする請求項１に記載の遊技機。
【手続補正２】
【補正対象書類名】明細書
【補正対象項目名】０００７
【補正方法】変更
【補正の内容】
【０００７】
上記目的を達成するために、本発明のうち請求項１に記載の発明は、遊技に係る動作を制御する制御手段を備えた遊技機であって、前記制御手段に、所定の方法で数値を作成する乱数作成部と、前記乱数作成部が作成した数値を格納する複数の格納部からなる乱数格納部とを設け、前記制御手段は、単位時間毎に予め定められたメインループ処理を繰り返し実行しており、前記メインループ処理の実行後、前記単位時間が経過するまでの間に、前記数値を作成するとともに、前記数値を格納する前記格納部の順序である格納パターンとして設定されている複数の格納パターンのうちの何れか１つの格納パターンにしたがって、作成した前記数値を前記格納部へ格納しており、特定の条件が充足されると、所定数の前記格納部から数値を取得し、取得した数値によって、前記特定の条件が充足されたことにもとづく前記遊技に係る動作を決定することを特徴とする。
請求項２に記載の発明は、請求項１に記載の発明において、前記制御手段は、特殊条件が充足されたことをもって、前記格納パターンを別の格納パターンへ変更することを特徴とする。
なお、遊技に係る動作を制御する制御手段を備えており、前記制御手段は、特定の条件が充足されると、複数の抽選を実行して前記特定の条件が充足されたことにもとづく前記遊技に係る動作を決定する遊技機において、前記制御手段に、所定の方法で数値を作成する乱数作成部と、前記乱数作成部が作成した数値を格納する複数の格納部からなる乱数格納部とを設け、前記制御手段が、単位時間毎に予め定められたメインループ処理を繰り返し実行しており、前記メインループ処理の実行後、前記単位時間が経過するまでの間に、前記数値を作成するとともに、前記数値を格納する前記格納部の順序である格納パターンとして設定されている複数の格納パターンのうちの何れか１つの格納パターンにしたがって、作成した前記数値を前記格納部へ格納しており、前記特定の条件が充足されると、複数の前記格納部から数値を取得するといった態様で前記抽選を実行し、取得した数値にもとづいて前記遊技に係る動作を決定するといった第１の構成を採用してもよい。
また、上記請求項２に記載の発明において、図柄を変動／確定表示可能な図柄表示部と、各種表示演出を行うための演出用表示部とが設けられており、前記制御手段は、所定条件の充足にもとづいて１又は複数の乱数から数値を取得し、取得した数値にもとづいて前記図柄の確定表示態様と前記図柄の変動時間を含む基本変動パターンとを決定するとともに、前記図柄表示部において前記図柄の変動を開始させ、前記変動時間の経過に伴い前記図柄を所定の確定表示態様で確定表示させる一方、前記所定条件の充足にもとづいて前記１又は複数の乱数から数値を取得すると、取得した前記数値を所定数まで保留情報として記憶するとともに、前記図柄を確定表示したことにもとづいて、所定の順序にしたがい前記保留情報を消化する遊技機であって、前記制御手段は、前記保留情報の記憶をもって前記特殊条件が充足されたとし、前記格納パターンを別の格納パターンへ変更するといった第２の構成を採用してもよい。
なお、本願発明における「数値を格納部へ格納する」とは、何も記憶していない格納部への数値の格納のみならず、すでに数値を記憶している格納部での数値の更新をも意味する。
【手続補正３】
【補正対象書類名】明細書
【補正対象項目名】０００８
【補正方法】変更
【補正の内容】
【０００８】
本発明によれば、制御手段に、所定の方法で数値を作成する乱数作成部と、乱数作成部が作成した数値を格納する複数の格納部からなる乱数格納部とを設け、制御手段は、単位時間毎に予め定められたメインループ処理を繰り返し実行しており、メインループ処理の実行後、単位時間が経過するまでの間に、数値を作成するとともに、数値を格納する格納部の順序である格納パターンとして設定されている複数の格納パターンのうちの何れか１つの格納パターンにしたがって、作成した数値を格納部へ格納している。そして、特定の条件が充足されると、所定数の格納部から数値を取得し、取得した数値によって、特定の条件が充足されたことにもとづく遊技に係る動作を決定するようになっている。したがって、抽選毎に異なる複数のカウンタを設けていた従来の遊技機と比較すると、カウンタに相当する構成要素が１つで済み、御手段にかかる負荷を軽減することができる。また、単位時間毎に繰り返し実行するメインループ処理の実行後、余った時間を利用して数値を作成し、各格納部へ数値を格納するため、数値の作成や格納を効率良く行うことができる。
また、特殊条件が充足されると（たとえば保留情報の記憶に伴い）、格納パターンを別の格納パターンへ変更する。したがって、乱数格納部での数値の並びがループしてしまう事態を抑制することができる。
【手続補正書】
【提出日】平成29年1月27日(2017.1.27)
【手続補正１】
【補正対象書類名】明細書
【補正対象項目名】００２３
【補正方法】変更
【補正の内容】
【００２３】
本発明にかかる製造方法において、二相系溶媒における水と炭化水素溶媒との質量比は、通常、水：炭化水素溶媒＝１：１０〜１０：１、好ましくは１：５〜５：１、より好ましくは１：２〜２：１の範囲である。水と炭化水素溶媒との質量の差を小さくすると、反応時の両相の混和性が高まり、ベンゼンスルホン酸の副生を抑制できると考えられる。
【手続補正書】
【提出日】平成29年1月5日(2017.1.5)
【手続補正１】
【補正対象書類名】明細書
【補正対象項目名】００１６
【補正方法】変更
【補正の内容】
【００１６】
さらにまた、本発明の人工原木の炭化装置では、前記案内管は、ガラス管またはセラミック管であることを特徴とする。
【手続補正書】
【提出日】平成28年12月21日(2016.12.21)
【手続補正１】
【補正対象書類名】特許請求の範囲
【補正対象項目名】全文
【補正方法】変更
【補正の内容】
【特許請求の範囲】
【請求項１】
生体の間葉系組織又は培養間葉系細胞から分離されたＳＳＥＡ−３陽性の多能性幹細胞を含む、慢性腎障害を予防及び／又は治療するための細胞製剤。
【請求項２】
外部ストレス刺激によりＳＳＥＡ−３陽性の多能性幹細胞が濃縮された細胞画分を含む、請求項１に記載の細胞製剤。
【請求項３】
慢性腎障害が、慢性糸球体腎炎、腎硬化症、糖尿病性腎症、嚢胞腎、慢性腎盂腎炎、急速進行性糸球体腎炎、悪性高血圧症、ＳＬＥ腎炎、アミロイド腎、腎・尿路腫瘍、骨髄腫、閉塞性尿路生涯、痛風腎、腎形成不全、及び腎・尿路結核からなる群から選択される、請求項１又は２に記載の細胞製剤。
【請求項４】
前記多能性幹細胞が、ＣＤ１０５陽性である、請求項１〜３のいずれか１項に記載の細胞製剤。
【請求項５】
前記多能性幹細胞が、ＣＤ１１７陰性及びＣＤ１４６陰性である、請求項１〜４のいずれか１項に記載の細胞製剤。
【請求項６】
前記多能性幹細胞が、ＣＤ１１７陰性、ＣＤ１４６陰性、ＮＧ２陰性、ＣＤ３４陰性、ｖＷＦ陰性、及びＣＤ２７１陰性である、請求項１〜５のいずれか１項に記載の細胞製剤。
【請求項７】
前記多能性幹細胞が、ＣＤ３４陰性、ＣＤ１１７陰性、ＣＤ１４６陰性、ＣＤ２７１陰性、ＮＧ２陰性、ｖＷＦ陰性、Ｓｏｘ１０陰性、Ｓｎａｉ１陰性、Ｓｌｕｇ陰性、Ｔｙｒｐ１陰性、及びＤｃｔ陰性である、請求項１〜６のいずれか１項に記載の細胞製剤。
【請求項８】
前記多能性幹細胞が、以下の性質の全てを有する多能性幹細胞である、請求項１〜７のいずれか１項に記載の細胞製剤：
（ｉ）テロメラーゼ活性が低いか又は無い；
（ｉｉ）三胚葉のいずれの胚葉の細胞に分化する能力を持つ；
（ｉｉｉ）腫瘍性増殖を示さない；及び
（ｉｖ）セルフリニューアル能を持つ。
【請求項９】
前記多能性幹細胞が、腎障害部位に集積する能力を有する、請求項１〜８のいずれか１項に記載の細胞製剤。
【請求項１０】
前記多能性幹細胞が、足細胞、メサンギウム細胞、糸球体内皮細胞、傍糸球体細胞、近位尿細管細胞、遠位尿細管細胞、血管内皮細胞、ヘンレわな、及び／又は集合管の細胞からなる群から選択される１つ以上の細胞に分化する能力を有する、請求項１〜９のいずれか１項に記載の細胞製剤。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
印刷装置において、
被印刷媒体に、設定された複数のパターンを印刷することができるプリントヘッドと、
前記印刷装置が前記被印刷媒体の印刷エリアを移動することによって、前記印刷エリアにおける前記第１方向の距離を検出する検出部と、
前記検出部によって検出された前記距離にしたがって、前記印刷エリアでの前記第１方向に沿って並べて印刷可能なパターンの数を算出する制御部と、
を有する印刷装置。
【請求項２】
前記制御部は、前記パターンの数の算出後に、前記印刷装置が前記印刷エリアを移動しているときに、前記プリントヘッドが、算出されたパターンの数の前記パターンを前記第１方向に沿って前記印刷エリアに印刷するよう制御するとともに、印刷されたパターンの数が算出されたパターンの数に達すると、前記プリントヘッドが印刷を停止するよう制御する請求項１に記載の印刷装置。
【請求項３】
印刷されたパターンの数が算出されたパターンの数に達して前記プリントヘッドが印刷を停止した後、前記複数のパターンのうち、印刷が完了したパターンの次のパターンの印刷を、ユーザが指定した箇所にて開始する印刷指示部をさらに有することを特徴とする請求項２に記載の印刷装置。
【請求項４】
前記制御部は、前記プリントヘッドと前記検出部との間の間隔を基に印刷可能なパターンの数を算出し、
前記プリントヘッドと前記検出部との間の間隔を、前記複数のパターンのフォント種類、フォントサイズの少なくとも１つを含む書式により調整可能とする検出間隔変更機構をさらに有する請求項１乃至３のいずれか一項に記載の印刷装置。
【請求項５】
被印刷媒体に、設定された複数のパターンを印刷することができるプリントヘッドを備えた印刷装置が前記被印刷媒体の印刷エリアを移動することによって、前記印刷エリアにおける前記第１方向の距離を検出し、
検出された前記距離にしたがって、前記印刷エリアでの前記第１方向に沿って並べて印刷可能なパターンの数を算出する印刷方法。
【手続補正２】
【補正対象書類名】明細書
【補正対象項目名】発明の名称
【補正方法】変更
【補正の内容】
【発明の名称】印刷装置および印刷方法
【手続補正３】
【補正対象書類名】明細書
【補正対象項目名】０００１
【補正方法】変更
【補正の内容】
【０００１】
本発明は、装置内に通紙せずに、サイズを問わず、紙やプラスチックの表面に直接印刷を行う印刷装置、印刷方法に関する。
【手続補正４】
【補正対象書類名】明細書
【補正対象項目名】０００４
【補正方法】変更
【補正の内容】
【０００４】
ダイレクトプリント装置（自走式プリンタ、ハンディプリンタなどとも呼ばれる）では、印刷できる文字数や必要な長さを容易に把握することは困難であり、印刷ミスにより印刷対象が無駄になる。それを防ぐために試し印刷が必要であるという問題がある。また、印字すべき内容が収まらず、印刷を一旦停止し、装置を離し、印刷位置を変更して印刷を継続する際に、文字の途中から印刷を再開してしまうという問題がある。
本発明は、印字停止および改行を適切に行う印刷装置および印刷方法を提供することを目的とする。
【手続補正５】
【補正対象書類名】明細書
【補正対象項目名】０００５
【補正方法】変更
【補正の内容】
【０００５】
本発明の印刷装置は、被印刷媒体に、設定された複数のパターンを印刷することができるプリントヘッドと、前記印刷装置が前記被印刷媒体の印刷エリアを移動することによって、前記印刷エリアにおける前記第１方向の距離を検出する検出部と、前記検出部によって検出された前記距離にしたがって、前記印刷エリアでの前記第１方向に沿って並べて印刷可能なパターンの数を算出する制御部と、を有する。
また、本発明の印刷方法は、被印刷媒体に、設定された複数のパターンを印刷することができるプリントヘッドを備えた印刷装置が前記被印刷媒体の印刷エリアを移動することによって、前記印刷エリアにおける前記第１方向の距離を検出し、
検出された前記距離にしたがって、前記印刷エリアでの前記第１方向に沿って並べて印刷可能なパターンの数を算出する。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
媒体を傾斜状態に支持する媒体支持部と、
前記媒体支持部に支持された媒体を送り出す媒体給送手段と、
装置の制御手段を構成する基板と、
前記媒体給送手段及び前記制御手段の動力源であるバッテリーを収容するバッテリー収容部と、を備え、
前記バッテリー収容部及び前記基板は、前記媒体支持部の下側に配置されるとともに、前記基板に面する場所から外れた位置に前記バッテリー収容部が配置され、
前記バッテリー収容部の配置領域と前記基板の配置領域は、高さ方向で少なくとも一部が同じ範囲にあり、
前記バッテリー収容部は、少なくとも一部が前記基板に形成された第１の切り欠き部に入り込んでいる、
ことを特徴とする記録装置。
【請求項２】
請求項１に記載の記録装置において、前記バッテリー収容部の配置領域と前記基板の配置領域は、装置奥行き方向で少なくとも一部が同じ範囲にある、
ことを特徴とする記録装置。
【請求項３】
請求項１または請求項２に記載の記録装置において、前記バッテリー収容部は、媒体の給送方向と交差する方向である媒体幅方向において中央部に設けられている、
ことを特徴とする記録装置。
【請求項４】
請求項１から請求項３のいずれか一項に記載の記録装置において、前記バッテリー収容部は、前記媒体支持部の下側に形成された空間において、装置奥行き方向の後方側に設けられている、
ことを特徴とする記録装置。
【請求項５】
請求項１から請求項４のいずれか一項に記載の記録装置において、前記基板を複数備え、
複数の前記基板を構成する第１の基板は、装置奥行き方向の後方側において立設姿勢に設けられ、
複数の前記基板を構成する第２の基板は、前記第１の基板と交差する姿勢を成す、
ことを特徴とする記録装置。
【請求項６】
請求項１から請求項５のいずれか一項に記載の記録装置において、前記バッテリーにより駆動される第１のモーター及び第２のモーターを備え、
前記第１のモーター及び前記第２のモーターが、媒体の給送方向と交差する方向である媒体幅方向において前記バッテリー収容部の両側に設けられている、
ことを特徴とする記録装置。
【請求項７】
請求項６に記載の記録装置において、前記第１のモーター及び前記第２のモーターの少なくとも一方は、前記基板に形成された第２の切り欠き部に入り込んでいる、
ことを特徴とする記録装置。
【請求項８】
請求項１から請求項７のいずれか一項に記載の記録装置において、前記媒体支持部から送り出された媒体の先端を前記媒体支持部の側へ戻す媒体戻し部材と、
前記媒体支持部を形成するフレームに形成された、前記媒体戻し部材を露出させる開口と、を備え、
前記開口が、前記基板から生じた熱を放出する放熱口を兼ねる、
ことを特徴とする記録装置。
【請求項９】
請求項１から請求項８のいずれか一項に記載の記録装置において、前記バッテリー収容部は、前記媒体支持部を形成するフレームに、一体的に形成されている、
ことを特徴とする記録装置。
【請求項１０】
請求項８に記載の記録装置において、前記基板から生じた熱は、前記基板に対し前記開口に面する位置に設けられた放熱部材を介して前記開口から放出される、
ことを特徴とする記録装置。
【請求項１１】
請求項５に記載の記録装置において、媒体に対し液体を噴射する液体噴射ヘッドと、
前記液体噴射ヘッドと対向可能な位置に設けられた、媒体を支持する支持部材と、
媒体の端部から外れた領域に噴射され、前記支持部材の上方から下方に導かれた液体を保持する第１液体保持部と、
前記液体噴射ヘッドから廃液として噴射された液体を保持する第２液体保持部と、を備え、
前記第２の基板の占有領域は、前記第１液体保持部の占有領域および前記第２液体保持部の占有領域と、装置高さ方向で重なっている、
ことを特徴とする記録装置。
【手続補正２】
【補正対象書類名】明細書
【補正対象項目名】０００６
【補正方法】変更
【補正の内容】
【０００６】
上記課題を解決するために本発明の一つの態様に係る記録装置は、媒体を傾斜状態に支持する媒体支持部と、前記媒体支持部に支持された媒体を送り出す媒体給送手段と、装置の制御手段を構成する基板と、前記媒体給送手段及び前記制御手段の動力源であるバッテリーを収容するバッテリー収容部と、を備え、前記バッテリー収容部及び前記基板は、前記媒体支持部の下側に配置されるとともに、前記基板に面する場所から外れた位置に前記バッテリー収容部が配置され、前記バッテリー収容部の配置領域と前記基板の配置領域は、高さ方向で少なくとも一部が同じ範囲にあり、前記バッテリー収容部は、少なくとも一部が前記基板に形成された第１の切り欠き部に入り込んでいる、ことを特徴とするものである。
また本発明の第１の態様に係る記録装置は、媒体を傾斜状態に支持する媒体支持部と、前記媒体支持部に支持された媒体を送り出す媒体給送手段と、装置の制御手段を構成する基板と、前記媒体給送手段及び前記制御手段の動力源であるバッテリーを収容するバッテリー収容部と、を備え、前記バッテリー収容部及び前記基板は、前記媒体支持部の下側に配置されるとともに、前記基板に面する場所から外れた位置に前記バッテリー収容部が配置され、前記バッテリー収容部の配置領域と前記基板の配置領域は、高さ方向で少なくとも一部が同じ範囲にあることを特徴とする。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
媒体に対し液体を噴射する液体噴射ヘッドと、
前記液体噴射ヘッドと対向可能な位置に設けられた、媒体を支持する媒体支持部と、
媒体の端部から外れた領域に噴射され、前記媒体支持部の上方から下方に導かれた液体を保持する第１液体保持部と、
前記液体噴射ヘッドから廃液として噴射された液体を保持する第２液体保持部と、を備え、
前記第１液体保持部の少なくとも一部及び前記第２液体保持部の少なくとも一部が、前記媒体支持部の下側に位置し、
前記第１液体保持部と前記第２液体保持部は、媒体の搬送方向に対し交差する方向に並んで配置されている、
ことを特徴とする記録装置。
【請求項２】
請求項１に記載の記録装置において、前記媒体支持部には、媒体の端部から外れた領域に噴射される液体を受ける液体受け部が設けられ、
前記液体受け部は、前記媒体支持部において、媒体の搬送方向に対し交差する方向の一方側の端部寄りに設けられており、
前記第１液体保持部は、媒体の搬送方向に対し交差する方向において前記一方側の端部寄りであって前記液体受け部の下側に設けられ、
前記第２液体保持部は、前記一方側の端部に対し反対側の端部寄りに設けられている、
ことを特徴とする記録装置。
【請求項３】
請求項２に記載の記録装置において、前記液体噴射ヘッドは、媒体の搬送方向と交差する方向に移動可能なキャリッジに設けられ、
前記キャリッジのホームポジションは、前記一方側の端部に近い位置に設定されている、
ことを特徴とする記録装置。
【請求項４】
請求項２に記載の記録装置において、前記液体噴射ヘッドは、媒体の搬送方向と交差する方向に移動可能なキャリッジに設けられ、
前記キャリッジのホームポジションは、前記一方側の端部に対し反対側の端部に近い位置に設定されている、
ことを特徴とする記録装置。
【請求項５】
請求項５に記載の記録装置において、前記第２液体保持部に前記廃液としての液体を送出するポンプが、媒体の搬送方向と交差する方向において前記一方側の端部に対し反対側の端部に近い位置に設けられている、
ことを特徴とする記録装置。
【請求項６】
請求項１から請求項５のいずれか一項に記載の記録装置において、前記ポンプと前記第２液体保持部とを結ぶチューブが、前記第１液体保持部と前記第２液体保持部との間を通り、前記第２液体保持部において前記第１液体保持部と対向する位置に接続されている、
ことを特徴とする記録装置。
【請求項７】
請求項１から請求項６のいずれか一項に記載の記録装置において、前記第１液体保持部及び前記第２液体保持部は、全体が前記媒体支持部の下側に位置する、
ことを特徴とする記録装置。
【請求項８】
請求項１から請求項７のいずれか一項に記載の記録装置において、前記第１液体保持部の占有領域と前記第２液体保持部の占有領域は、装置高さ方向で重なっている、
ことを特徴とする記録装置。
【請求項９】
請求項８に記載の記録装置において、前記第１液体保持部の底面と前記第２液体保持部の底面は、同一平面上にある、
ことを特徴とする記録装置。
【請求項１０】
請求項１から請求項９のいずれか一項に記載の記録装置において、前記第２液体保持部は、着脱可能に設けられている、
ことを特徴とする記録装置。
【手続補正２】
【補正対象書類名】明細書
【補正対象項目名】０００８
【補正方法】変更
【補正の内容】
【０００８】
上記課題を解決するために本発明の一つの態様に係る記録装置は、媒体に対し液体を噴射する液体噴射ヘッドと、前記液体噴射ヘッドと対向可能な位置に設けられた、媒体を支持する媒体支持部と、媒体の端部から外れた領域に噴射され、前記媒体支持部の上方から下方に導かれた液体を保持する第１液体保持部と、前記液体噴射ヘッドから廃液として噴射された液体を保持する第２液体保持部と、を備え、前記第１液体保持部の少なくとも一部及び前記第２液体保持部の少なくとも一部が、前記媒体支持部の下側に位置し、前記第１液体保持部と前記第２液体保持部は、媒体の搬送方向に対し交差する横方向に並んで配置されていることを特徴とするものである。
また本発明の第１の態様に係る記録装置は、媒体に対し液体を噴射する液体噴射ヘッドと、前記液体噴射ヘッドと対向可能な位置に設けられた、媒体を支持する媒体支持部と、媒体の端部から外れた領域に噴射され、前記媒体支持部の上方から下方に導かれた液体を保持する第１液体保持部と、前記液体噴射ヘッドから廃液として噴射された液体を保持する第２液体保持部と、を備え、前記第１液体保持部の少なくとも一部及び前記第２液体保持部の少なくとも一部が、前記媒体支持部の下側に位置することを特徴とする。